(57)【要約】【課題】  短時間番組表示する際に、ユーザーが直感的に番組の意味を認識できる番組のジャンル情報のアイコンや文字情報を表示し、ユーザーの直感的な操作が可能な電子番組表表示装置を提供する。【解決手段】  短時間番組表示枠（５）が示す番組は、本来独立した番組であるが、番組放送時間長が数分〜１５分くらいまでの短時間番組であるため、独立した番組表示枠を確保せずに直前の番組表示枠内に、ニュースは「Ｎ」、天気予報は「天」、情報番組は「！」など、その番組のジャンルを示すアイコンや最小限の文字により表現し、ユーザーがこの番組の内容をおおよそ推測することができる。また、番組選択カーソルを当該短時間番組表示枠（５）に移動して合わせることにより、番組詳細情報表示枠（３）に表示される番組の詳細内容を参照することができる。【選択図】  図３
2006295806.tif 000002
【特許請求の範囲】
【請求項１】
複数の番組情報を表示する番組表示枠を有し、番組選択を行うための選択カーソルを番組表操作画面に表示する手段を備える電子番組表表示装置において、
前記番組表示枠とは別に短時間番組を示す短時間番組表示枠を番組表画面に表示する手段と、
前記短時間番組表示枠内にジャンルを示すアイコンまたは最小限の文字を表示する手段と、
を備えたことを特徴とする電子番組表表示装置。
【請求項２】
番組の放送時間長によって、前記短時間番組であるか通常時間長番組であるかを判定する番組時間判定手段又は前記短時間番組と前記通常時間長番組の表示枠サイズを比較する番組表示枠比較手段を備え、
前記短時間番組が単独で存在する場合に、前記短時間番組表示枠を隣接する通常時間長の前記番組表示枠内に配置し表示することを特徴とする請求項１に記載の電子番組表表示装置。
【請求項３】
前記短時間番組が、１つ以上連続して存在する場合、１つ以上の前記短時間番組表示枠をまとめて配置する独立短時間番組表示枠を前記番組表示枠の直後に生成する手段を備え、前記番組表画面に表示することを特徴とする請求項２に記載の電子番組表表示装置。
【請求項４】
前記選択カーソルが選択する前記番組表示枠の番組の詳細情報を表示する番組詳細情報表示枠又は前記短時間番組表示枠の番組の詳細情報を表示する番組詳細情報表示枠を前記番組表画面に表示する手段を備えたことを特徴とする請求項１から請求項３のいずれか１項に記載の電子番組表表示装置。
【請求項５】
前記選択カーソルが前記短時間番組表示枠を選択する場合に、該短時間番組表示枠に他の前記番組表示枠とは別の色表示又はハイライト表示を行うことにより、前記短時間番組枠は、他の前記番組表示枠と容易に識別されることを特徴とする請求項１から請求項４のいずれか1項に記載の電子番組表表示装置。
【発明の詳細な説明】
【技術分野】
【０００１】
本発明は、電子番組表表示装置に関し、特に、チャンネルや時間や番組タイトル毎に区切られる表示枠を持つ電子番組表表示装置に関する。
【背景技術】
【０００２】
従来の電子番組表表示装置では、放送時間が短い番組の表示枠６は、図１２に示すように番組タイトルの先頭１文字や、番組が存在することを示す、例えば「…」などで示される文字コードで表示されていた。
【０００３】
また、短時間番組が複数連続して番組表画面に並ぶ場合、番組先頭１文字だけの番組タイトルが表示された番組表示枠が連続して並ぶことになる。従って、これら短時間番組の表示の羅列がユーザーにとっては番組表画面全体の視認性を妨げ直感的な操作がしづらいという問題があった。
【０００４】
また、番組表全体における短時間番組の表示の羅列がユーザーにとっては、番組枠のみの表示となってしまい、一画面に表示できる番組情報が表示できる面積が減ってしまい、番組表画面全体の視認性を妨げている問題がある。
【０００５】
そこで、特許文献１に開示されている発明は、上記の問題を解決するためになされたものであり、番組表に短時間番組を示すマーカーを表示し、なおかつ短時間番組情報の内容を参照するための表示切換手段を備えたものである。
【特許文献１】特開平１０−２６２１９２号公報
【発明の開示】
【発明が解決しようとする課題】
【０００６】
しかしながら、番組表全体から目的の番組を探す場合、番組選択カーソルを素早く移動しながら番組内容を確認する連続動作が要求されるため、特許文献１に開示されている方法では、番組選択カーソルを移動しながら番組詳細内容を確認する操作をすることが、ユーザーの連続操作の流れを妨げ、直感的な操作がしづらい問題があった。
【０００７】
そこで、本願発明は、上記問題に鑑みて提案されたものであって、短時間番組表示する際に、ユーザーが直感的に番組の意味を認識できる番組のジャンル情報のアイコンや文字情報を表示し、ユーザーの直感的な操作が可能な電子番組表表示装置を提供することを目的とする。
【課題を解決するための手段】
【０００８】
本課題を解決するために、本発明に係る電子番組表表示装置は、以下の構成および特徴を備えている。
【０００９】
本発明は、複数の番組情報を表示する番組表示枠を有し、番組選択を行うための選択カーソルを番組表操作画面に表示する手段を備える電子番組表表示装置において、前記番組表示枠とは別に短時間番組を示す短時間番組表示枠を番組表画面に表示する手段と、前記短時間番組表示枠内にジャンルを示すアイコンまたは最小限の文字を表示する手段と、を備えたことを特徴とする。
【００１０】
また、本発明は、番組の放送時間長によって、前記短時間番組であるか通常時間長番組であるかを判定する番組時間判定手段又は前記短時間番組と前記通常時間長番組の表示枠サイズを比較する番組表示枠比較手段を備え、前記短時間番組が単独で存在する場合に、前記短時間番組表示枠を隣接する通常時間長の前記番組表示枠内に配置し表示することを特徴とする。
【００１１】
また、本発明は、前記短時間番組が、１つ以上連続して存在する場合、１つ以上の前記短時間番組表示枠をまとめて配置する独立短時間番組表示枠を前記番組表示枠の直後に生成する手段を備え、前記番組表画面に表示することを特徴とする。
【００１２】
また、本発明は、前記選択カーソルが選択する前記番組表示枠の番組の詳細情報を表示する番組詳細情報表示枠又は前記短時間番組表示枠の番組の詳細情報を表示する番組詳細情報表示枠を前記番組表画面に表示する手段を備えたことを特徴とする。
【００１３】
また、本発明は、前記選択カーソルが前記短時間番組表示枠を選択する場合に、該短時間番組表示枠に他の前記番組表示枠とは別の色表示又はハイライト表示を行うことにより、前記短時間番組枠は、他の前記番組表示枠と容易に識別されることを特徴とする。
【００１４】
このように、本発明は、１つまたは複数の短時間番組と通常時間長の番組が隣接する場合、両番組の放送時間長や両番組の表示枠のサイズを比較し、短時間番組の番組情報を隣接する表示枠の広い通常時間長の番組表示枠内へ効率よく配置することができる。
【００１５】
また、番組表示枠の枠線として表示される短時間番組表示枠の枠線を描画しないことで、番組表示枠で消費される面積を減らし、番組情報表示で使用できる面積を増やし、視覚的にも見やすい表示になり、操作性のよい番組情報表示が可能である。
【００１６】
さらに、短時間番組表示枠が通常番組の表示枠と同様に、番組選択カーソルによって選択されることが可能であり、選択されたときに、他の色の表示やハイライト表示されるため、容易に識別可能となる。
【発明の効果】
【００１７】
以上説明したように、本発明によれば、短時間番組の表示に通常の番組表示枠とは別の短時間番組表示枠を設けたことで、短時間番組の存在をアイコンや最小限の文字で表現できることで短時間番組の番組表示面積を減らした番組表表示装置を提供することができる。
【００１８】
また、本発明によれば、短時間番組表示枠が前番組表示枠内へ同居することを可能としたことで、番組表示枠線を減らし、シンプルで通常番組表示枠の表示幅を最大限にする番組表表示装置を提供することが出来る。
【００１９】
また、本発明によれば、短時間番組が連続する場合、独立した番組表示枠を設けて、複数個の短時間番組表示枠を収めることで、番組枠の表示幅を最大限に生かし、見やすい番組表表示装置を提供することができる。
【００２０】
また、本発明によれば、短時間番組が連続する場合、隣接する短時間番組の表示枠で消費される面積を、減らし、複数個の短時間番組表示枠を収めることで、番組枠の表示幅を最大限に生かし、見やすい番組表表示装置を提供することができる。
【００２１】
また、本発明によれば、短時間番組表示枠が通常の番組表示枠と同様に番組選択カーソルで選択でき、色やハイライト表示することで、最小限の表示面積ながらも番組の存在を示す番組表表示装置を提供することができる。
【発明を実施するための最良の形態】
【００２２】
以下、本発明に係る電子番組表表示装置の一実施形態について、図面を参照して詳細に説明する。
【００２３】
図１は、本発明に係る電子番組表表示装置のブロック図である。
【００２４】
同図において、アンテナ（１０１）から受信した放送信号は、Ｔｕｎｅｒおよび復調部（１０２）によって、ディジタル伝送信号であるトランスポートストリーム（ＴＳ）に復調される。
【００２５】
ＴＳ−Ｄｅｍｕｘ（１０３）は、復調されたトランスポートストリーム（ＴＳ）をＰＳＩ／ＳＩ情報や番組情報、Ａｕｄｉｏ圧縮信号、ＭＰＥＧ  Ｖｉｄｅｏ信号などの個々のパケットやストリームに分離する。分離されたＡｕｄｉｏ圧縮信号やＭＰＥＧ  Ｖｉｄｅｏ信号は、Ａ／Ｖデコーダ（１０４）によって、展開およびデコード処理され、音声ベースバンド信号やＶｉｄｅｏベースバンド信号に変換される。
【００２６】
Ａ／Ｖ出力制御部（１０５）によって、ベースバンド信号に変換された音声信号は、適切な音量に変換されてスピーカ（１０６）に、ベースバンド信号に変換されたＶｉｄｅｏ信号は、映像サイズに変換されてディスプレイ（１０７）に出力される。
【００２７】
また、オンスクリーン制御部（１０７）にて生成されたオンスクリーンイメージは、Ａ／Ｖ出力制御部（１０５）によってＡ／Ｖデコーダ（１０４）から生成されたＶｉｄｅｏ映像へ重ね合わせ処理され、ディスプレイ（１０７）へ出力される。
【００２８】
ＣＰＵ（１１０）は、メインメモリ（１１１）へ配置されたプログラムコードを実行することにより、各部位の統合制御を行う。
【００２９】
メインメモリ（１１１）は、ＣＰＵ（１１０）のプログラムコードや、ＴＳ−Ｄｅｍｕｘ（１０３）で分離されたＰＳＩ／ＳＩ情報や番組情報、Ａ／Ｖデコーダ（１０４）のデコード結果情報、オンスクリーン制御部（１０７）によって生成されたオンスクリーンイメージの格納、各部位の作業データの格納を行う。
【００３０】
一方、フラッシュメモリ（１１２）は、各部位の設定値の保存や、ＴＳ−Ｄｅｍｕｘ（１０３）で分離されたＰＳＩ／ＳＩ情報や番組情報、Ａ／Ｖデコーダ（１０４）のデコード結果の格納を行う。
【００３１】
リモコン受信部（１０９）は、ユーザーによって操作されるリモコン（１１３）からの赤外線や、無線信号受けて、キーコード信号としてデコードを行う。
【００３２】
また、リモコン受信部（１０９）にて受信されたリモコンのキーコードは、ＵＩ制御を行うソフトウェアであるＵＩ制御部（１２１）にてユーザー操作のコマンドとして解釈される。
【００３３】
ＣＰＵ（１１０）と符号（１０１）〜（１１２）までの部位は、それぞれバス（１１４）で接続されており、ＣＰＵ（１１０）からの制御は、バス（１１４）を介して受けつけ、各種データの入出力もバス（１１４）を介して行っている。
【００３４】
以上がハードウェアの構成であるが、ユーザーにより操作されるリモコン（１１３）、リモコン受信部（１０９）及びＣＰＵ（１１０）等からなる操作制御を行うＵＩ制御部（１２１）と、１０２から１０４の部位およびＣＰＵ等からなる選局動作制御を行う選局制御部（１２２）と、オンスクリーン制御部（１０８）、ＣＰＵ（１１０）、メインメモリ（１１１），フラッシュメモリ（１１２）等からなる電子番組表を制御するＥＰＧ制御部（１２３）とによって、上記ハードウェアシステム全体が制御される。
【００３５】
さらに、本発明に係る電子番組表表示装置によって生成される電子番組表の表示を行うためには以下のような制御を経て行われる。
【００３６】
まず、ＥＰＧ制御部（１２３）は、ＴＳ−Ｄｅｍｕｘ（１０３）にてトランスポートストリームに搬送されているＳＩ情報のうち、ＥＩＴ（Ｅｖｅｎｔ  Ｉｎｆｏｒｍａｔｉｏｎ  Ｔａｂｌｅ）を抽出することにより個々の番組情報を得る。
【００３７】
次に、上記抽出された個々の番組情報は、チャンネル番号と放送開始順の２次元から構成される、番組配列情報（２０１）（図２に図示）へ配置、展開される。そして、この番組配列情報（２０１）は、メインメモリ（１１１）やフラッシュメモリ（１１２）に記憶される。
【００３８】
番組配列情報（２０１）に格納される１番組情報内の要素は、Ｅｖｅｎｔ＿ＩＤ、番組開始時間、番組終了時間、番組時間長、番組タイトル文字列、番組詳細情報文字列、番組ジャンルコード等によって構成されている。
【００３９】
さらに、ＥＰＧ制御部（１２３）のオンスクリーン制御部（１０８）は、番組配列情報（２０１）を基づいて、図３に示すようなＥＰＧ画面のイメージを生成し、オンスクリーンの表示バッファへ描画することにより、ディスプレイ１０７上へ電子番組表を表示する仕組みである。
【００４０】
次に、本発明に係る番組表表示装置によって生成される番組表について詳細に説明する。
【００４１】
図３は、本発明に係る番組表表示装置によって生成される番組表の一例を示す図である。
【００４２】
番組表表示画面は、番組表表示画面枠（１）の中にチャンネル番号ごとに番組単位で区切られた番組表示枠（２）の表示領域を限定する番組表示範囲（８）、番組の放送時間を表す時間スケール表示（９）、チャンネル表示（４）、番組選択カーソル（７）により指定された番組表示枠（２）の番組詳細情報を表示する番組詳細情報表示枠（３）から構成され、ディスプレイ（１０７）全体またはディスプレイの一部に表示される。
【００４３】
番組表のユーザー操作は、リモコン（１１３）（図５に図示）から行い、番組表画面の表示および消去を番組表ボタン（１１４）で行い、番組選択カーソル（６）は、リモコン（１１３）のカーソル操作キー（１１５ａ、１１５ｂ、１１５ｃ、１１５ｄ）を操作することにより、番組選択カーソル（７）を番組表示範囲（８）内で上下左右へ移動することができる。
【００４４】
リモコンの決定キー（１１６）を押すことにより、番組選択カーソルが示す番組を選局して視聴する、あるいは録画予約を設定することができる。
【００４５】
図３に示すように、短時間番組表示枠（５）を番組表表示枠（２）内へ配置している点がこの番組表の特徴となっている。
【００４６】
すなわち、短時間番組表示枠（５）が示す番組は、本来独立した番組であるが、番組放送時間長が数分〜１５分くらいまでの短時間番組であるため、独立した番組表示枠を確保せずに直前の番組表示枠内に、ニュースは「Ｎ」、天気予報は「天」、情報番組は「！」など、その番組のジャンルを示すアイコンや最小限の文字により表現している。この表現により、ユーザーがこの番組の内容をおおよそ推測することができる。
【００４７】
また、短時間番組の詳細情報を参照する場合は、番組選択カーソルを当該短時間番組表示枠（５）に移動して合わせることにより、番組詳細情報表示枠（３）に表示される番組の詳細内容を参照することができる。
【００４８】
このような番組表示枠（２）を配置したことによって、従来の番組表示枠（２）では図１２のように短時間番組が「…」や番組タイトル先頭１文字でしか表示できないため、番組の存在はわかるものの番組選択カーソルをその番組表示枠（２）に移動しない限り、番組の内容は伺い知ることができない不具合を解消することができる。
【００４９】
また、従来のように、番組表表示枠（８）内に表示される短時間番組が増えると、視認できる番組表示枠が減ってしまい、番組表全体としての一覧性が半減してしまう。
【００５０】
また、番組表示枠（２）は表示枠の両サイドで２ドット〜数ドット分の表示幅を消費してしまうので、短時間番組が増えると番組表示枠内へ番組情報を表示する面積が減ってしまい、番組表としての一覧性が半減してしまう。本発明の、短時間番組表示枠（５）を番組表示枠(２)内へ配置することにより番組表示枠で消費する面積を減らすことができる。
【００５１】
次に、短時間番組が連続した場合の番組表示画面の表示について説明する。
【００５２】
図４は、短時間番組が連続した場合の番組表示画面の表示例を示す図である。
【００５３】
現在番組選択カーソル（７）は、連続した短時間番組のうちの１番組を示している。
【００５４】
同図に示すように、短時間番組が連続する場合、直前の番組表示枠（２）内に表示していたのでは、直前の番組の番組情報を表示するスペースが連続する短時間番組表示枠（５）で消費されてしまうため、連続した短時間番組を一まとめにした独立した番組表示枠を設けて、その枠内へ短時間番組表示枠（５）を配置している。
【００５５】
本発明の短時間表示枠（５）は、表示枠の枠線として区切っているため、複数の短時間表示枠を縦や横へ接近して配置しても、個々の短時間番組表示枠間の独立は保たれることになる。
【００５６】
このような番組表示枠（２）が配置されるため、隣接する番組の番組表示枠（２）を大きく取ることが出来る。
【００５７】
次に、番組表示枠（２）の描画処理内容について図６のフロー図を用いて説明する。
【００５８】
図６は、番組表示枠（２）の描画処理を示すフローチャート図である。
【００５９】
まず、番組表示枠の描画処理を行うＥＰＧ制御部（１２３）の描画処理手段は、番組配列情報（２０１）に格納される要素から、描画対象の番組表示枠の番組時間長を入力して短時間番組か、通常時間長の番組であるか否かを判断する（ステップＳ１０１）。
【００６０】
通常時間長の番組である場合（ステップＳ１０１；ＹＥＳ）に、短時間番組表示枠が同居できるか否かを判断し（ステップＳ１０２）、短時間番組表示枠が同居できる場合（ステップＳ１０２；ＹＥＳ）には、短時間番組が同居可能な通常時間長の番組表示枠が描画されて（ステップＳ１０３）、処理が終了する。
【００６１】
また、短時間番組が同居できない場合（ステップＳ１０２；ＮＯ）には、通常番組時間長の番組表示枠が描画されて（ステップＳ１０４）、処理が終了する。
【００６２】
ステップＳ１０１において、描画対象の番組表示枠が短時間番組だった場合（ステップＳ１０１；ＮＯ）に、短時間番組が前後にどのくらい連続しているかをチェックする（ステップＳ１０５）。
【００６３】
連続した短時間番組があるか否かを判定し（ステップＳ１０６）し、連続している短時間番組がある場合（ステップＳ１０６；ＹＥＳ）には、独立した番組表示枠を持ちその表示枠内に短時間独立番組表示枠を描画し（ステップＳ１０９）、処理が終了する。
【００６４】
一方、連続している短時間番組がない場合（ステップＳ１０６；ＮＯ）には、描画対象番組の前番組が通常時間長番組かつ前番組の当該短時間番組表示枠が前番組表示枠へ同居可能かを判断（ステップＳ１０７）し、条件が成立する場合（ステップＳ１０７；ＹＥＳ）に、ステップＳ１０９に移行する。
【００６５】
そして、ステップＳ１０７において、条件が成立しない場合（ステップＳ１０７；ＮＯ）、前番組の当該短時間番組表示枠内に短時間番組枠を描画した後（ステップＳ１０８）、処理が終了する。
【００６６】
この描画処理によって、描画する番組表示枠が通常時間長の番組表示枠か、短時間番組の番組表示枠の見極めを行うことに加えて、通常時間長の番組表示枠の場合、短時間番組表示枠が同居して表示可能か否か、短時間番組表示枠の場合、前番組の番組表示枠へ同居するか、短時間番組用の独立した番組表示枠を確保するかを見極めることができる。
【００６７】
次に、短時間番組の連続性をチェックするステップＳ１０５の詳細の処理内容について、図７を用いて説明する。
【００６８】
図７は、短時間番組の連続性をチェックする処理の詳細フロー図である。
【００６９】
まず、図６におけるステップＳ１０５において、現在連続性チェックを行う短時間番組を基準として、前方、後方それぞれの短時間番組数をカウントする連続カウンタをクリアする（ステップＳ２０１）。
【００７０】
前方の番組を検索し（ステップＳ２０２）、前方検索した番組が通常時間長の番組であるか短時間番組であるかを判定し（ステップＳ２０３）、短時間番組である場合（ステップＳ２０３；ＮＯ）には、短時間番組をカウントする連続カウンタをインクレメントする（ステップＳ２０４）。長時間番組である場合（ステップＳ２０３；ＹＥＳ）には、ステップＳ２０５に移行する。
【００７１】
さらに、後方の番組を検索し（ステップＳ２０５）、後方検索した番組が通常時間長の番組であるか短時間番組であるかを判定し（ステップＳ２０６）、短時間番組をカウントする連続カウンタステップ（Ｓ２０７）、短時間番組である場合（ステップＳ２０３；ＮＯ）には、短時間番組をカウントする連続カウンタをインクレメントする（ステップＳ２０４）。
【００７２】
この処理は、当該短時間番組の前後に続く短時間番組の数を求める処理であって、この処理によって、当該番組である短時間番組が単独で存在するのであれば、前番組の同居番組表示枠へ同居できる可能であり、当該番組の前後に短時間番組が連続で存在するならば、当該番組が短時間番組であっても、独立した番組表示枠を用意する判断ができることになる。
【００７３】
以下に、各条件の番組表示枠ごとの描画処理を説明する。
【００７４】
図８は、通常時間長の番組枠描画の処理内容を示したフロー図である。
【００７５】
番組時間長に応じた番組表示枠の幅を求め（ステップＳ３０１）、番組表示枠内に表示できる文字サイズ、文字数を求めて、番組情報表示が番組表示枠に入りきらない場合に文字列を省略するなどの丸め処理を行う（ステップＳ３０２）。そして、ステップＳ３０１、３０２で求めた表示枠サイズと表示文字数により、番組表示枠のイメージを描画する（ステップＳ３０３）。
【００７６】
上記処理は、通常番組表示枠を短時間番組の同居なしに描画する典型的な番組表示枠描画処理である。
【００７７】
図９は、通常時間長の番組枠内へ短時間番組を描画する前提の通常時間長の番組表示枠の描画処理の内容を示したフロー図である。
【００７８】
通常時間長の番組枠の番組時間長と同居する短時間番組の時間を加えた分の表示枠サイズ求め（ステップＳ３１１）、番組表示枠内へ短時間番組の表示領域を確保する（ステップ３１２）。そして、番組表示枠内に表示できる文字サイズ、文字数を求めて、番組情報表示が番組表示枠に入りきらない場合に文字列を省略するなどの丸め処理を行う（ステップＳ３１３）。ステップＳ３１１、３１３で求めた表示枠サイズと表示文字数により、番組表示枠のイメージを描画する（ステップＳ３１４）。
【００７９】
この処理は、通常番組表示枠内へ短時間番組の表示枠を描画する番組表示枠の描画処理である。
【００８０】
図１０は、通常時間長の番組枠内へ短時間番組を描画する短時間番組表示枠の描画処理の内容を示したフロー図である。
【００８１】
前番組の番組表示枠の位置を取得し（ステップＳ３２１）、前番組の番組表示枠のうち短時間外番組表示枠の領域を確保する（ステップＳ３２２）。そして、短時間番組表示枠のイメージを描画する（ステップＳ３２３）。
【００８２】
この処理は、前番組の番組表示枠の配置を求め、その枠内へ短時間番組表示枠を描画する処理である。
【００８３】
前番組である番組表示枠は通常時間長であり、この番組の番組表示枠は、ステップＳ３１１〜３１４で描画されていることが前提である。
【００８４】
図１１は、短時間番組用に独立短時間番組表示枠を設け、短時間番組を１つあるいは複数描画する短時間番組表示枠の描画処理の内容を示したフロー図である。
【００８５】
短時間番組の番組表示枠に描画される短時間番組の時間長の合計分から、表示枠サイズを計算し（ステップＳ３３１）、番組表示枠内に描画される短時間番組の配置表示枠の配置位置を計算する（ステップＳ３３２）。ステップＳ３３１、３３２で計算された番組表示枠サイズと番組表示枠内の配置位置により短時間番組表示枠のイメージを描画する（ステップＳ３３３）。
【００８６】
前番組の番組表示枠幅が短時間番表示枠と同居するには狭すぎる場合は、単独の短時間番組であっても、独立した独立短時間番組表示枠を設けてもよい。
【００８７】
なお、本発明の電子番組表表示装置は、上述した実施形態に限定されるものではなく、本発明の要旨を逸脱しない範囲内において種々変更を加え得ることは勿論である。
【図面の簡単な説明】
【００８８】
【図１】本発明に係る電子番組表表示装置のブロック図である。
【図２】本発明のメインメモリに配置される番組配列情報を示す図である。
【図３】本発明に係る番組表表示装置によって生成される番組表の一例を示す図である。
【図４】短時間番組が連続した場合の番組表示画面の表示例を示す図である。
【図５】本発明のリモコンの詳細のレイアウト図である。
【図６】番組表示枠（２）の描画処理を示すフローチャート図である。
【図７】短時間番組の連続性をチェックする処理の詳細フロー図である。
【図８】通常時間長の番組枠描画の処理内容を示したフロー図である。
【図９】通常時間長の番組枠内へ短時間番組を描画する前提の通常時間長の番組表示枠の描画処理の内容を示したフロー図である。
【図１０】通常時間長の番組枠内へ短時間番組を描画する短時間番組表示枠の描画処理の内容を示したフロー図である。
【図１１】短時間番組用に独立番組表示枠を設け、短時間番組を１つあるいは複数描画する短時間番組表示枠の描画処理の内容を示したフロー図である。
【図１２】従来の番組表表示装置によって生成される番組表の一例を示す図である。
【符号の説明】
【００８９】
１  番組表表示画面枠
２  （通常時間長）番組表示枠
３  番組詳細情報表示枠
４  チャンネル番号表示枠
５  短時間番組表示枠
６  従来の短時間番組表示枠
７  番組選択カーソル
８  番組表示範囲
９  時間スケール表示
１０１  アンテナ
１０２  Ｔｕｎｅｒおよび復調部
１０３  ＴＳ−Ｄｅｍｕｘ
１０４  Ａ／Ｖデコーダ
１０５  Ａ／Ｖ出力制御部
１０６  スピーカ
１０７  ディスプレイ
１０８  オンスクリーン制御部
１０９  リモコン受信部
１１０  ＣＰＵ
１１１  メインメモリ
１１２  フラッシュメモリ
１１３  リモコン
１１４  番組表ボタン
１１５ａ、１１５ｂ、１１５ｃ、１１５ｄ  カーソル操作キー
１１６  決定キー
２０１  番組配列情報
【図１】
2006295806.tif 000003
【図２】
2006295806.tif 000004
【図３】
2006295806.tif 000005
【図４】
2006295806.tif 000006
【図５】
2006295806.tif 000007
【図６】
2006295806.tif 000008
【図７】
2006295806.tif 000009
【図８】
2006295806.tif 000010
【図９】
2006295806.tif 000011
【図１０】
2006295806.tif 000012
【図１１】
2006295806.tif 000013
【図１２】
2006295806.tif 000014